(57)【要約】  【課題】  適正なセンサユニットが計測可能に取り付けられたことを確認できるセンサ取付構造及び計測表示器を提供することを目的とする。  【解決手段】  本発明のセンサ取付構造１０を、センサユニット１６を計測可能な状態で保持する中空部２０と、中空部２０内においてセンサユニット１６の挿入を検知する挿入検知手段２２とを備えて構成した。また、挿入検知手段２２を、センサユニット１６の表面に設けられた凸部２４の２箇所の接触を検知するように構成した。また、計測表示器１２をセンサ取付構造１０を含んで構成した。  【選択図】  図１
2005134190.tif 000002
【特許請求の範囲】
【請求項１】
バイオセンサを有するセンサユニットを計測可能な状態に取り付ける計測表示器のセンサ取付構造であり、
前記センサユニットを計測可能な状態で保持する中空部と、
前記中空部内において前記センサユニットの挿入を検知する挿入検知手段と、
を備え、
前記挿入検知手段が、前記センサユニットの表面の複数箇所の接触又は接近を検知する手段であるセンサ取付構造。
【請求項２】
前記挿入検知手段が、第一電極と、前記センサユニットの表面が接触して押圧することにより該第一電極に接触する複数の第二電極とから構成された請求項１に記載するセンサ取付構造。
【請求項３】
前記第二電極が２個備えられた請求項２に記載するセンサ取付構造。
【請求項４】
前記中空部に保持されたセンサユニットを該中空部から離脱させる離脱手段を備えた請求項１乃至請求項３のいずれかに記載するセンサ取付構造。
【請求項５】
請求項１乃至請求項４のいずれかに記載するセンサ取付構造を含む
計測表示器。
【発明の詳細な説明】
【技術分野】
【０００１】
本発明は、バイオセンサを有するセンサユニットを取り付けるためのセンサ取付構造、及びそのセンサ取付構造を利用した計測表示器に関する。
【背景技術】
【０００２】
従来から、バイオセンサによる血糖値等の計測値を算出して表示する計測表示器が使用されている（例えば、特許文献１及び特許文献２参照。）。この計測表示器によれば、バイオセンサを計測表示器に取り付けて検体を取り込み、血糖値等を算出して表示することにより、血糖値等を認識できる。しかし、計測表示器は、通常、取り付けるバイオセンサが定まっているため、異なる種類のバイオセンサを取り付けた場合には、血糖値を測定できなかった。また、誤測定の原因ともなった。
【特許文献１】特公平８−１０２０８号公報
【特許文献２】特開平１０−１９８８８号公報
【発明の開示】
【発明が解決しようとする課題】
【０００３】
解決しようとする問題点は、適正なバイオセンサを測定可能に取り付けたか否かを確認できるとともに取り付けたバイオセンサの種類を確認できるセンサ取付構造、及びそのセンサ取付構造を利用した計測表示器を提供することである。
【課題を解決するための手段】
【０００４】
本発明のセンサ取付構造は、バイオセンサを有するセンサユニットを計測可能な状態に取り付ける計測表示器のセンサ取付構造であり、前記センサユニットを計測可能な状態で保持する中空部と、前記中空部内において前記センサユニットの挿入を検知する挿入検知手段と、を備え、前記挿入検知手段が、前記センサユニットの表面の複数箇所の接触又は接近を検知する手段であることを特徴とする。本明細書において、接触の概念には、接触して押圧することを含む。
【０００５】
本発明のセンサ取付構造は、前記センサ取付構造において、前記挿入検知手段が、第一電極と、前記センサユニットの表面が接触して押圧することにより該第一電極に接触する複数の第二電極とから構成されたことを特徴とする。
【０００６】
本発明のセンサ取付構造は、前記センサ取付構造において、前記第二電極が２個備えられたことを特徴とする。
【０００７】
本発明のセンサ取付構造は、前記センサ取付構造において、前記中空部に保持されたセンサユニットを該中空部から離脱させる離脱手段を備えたことを特徴とする。
【０００８】
本発明の計測表示器は、センサ取付構造を含むことを特徴とする。
【発明の効果】
【０００９】
本発明のセンサ取付構造によれば、挿入検知手段により、バイオセンサを測定可能に取り付けたか否かを確認できる。また、挿入検知手段がセンサユニットの表面の複数箇所の接触又は接近を検知するため、センサユニットの表面において挿入検知手段が反応する箇所の数又は位置をセンサユニットの種類に対応して決定しておくことにより、挿入検知手段が幾つの箇所で接触又は接近を検知したか、又は如何なる位置で接触又は接近を検知したかを認識することにより、取り付けたセンサユニットの種類を判別できる。
【００１０】
また、挿入検知手段が第一電極と複数の第二電極とを備えた本発明のセンサ取付構造によれば、何個の第二電極が第一電極に接触したかを認識することにより、取り付けたセンサユニットの種類を判別できる。
【００１１】
また、離脱手段を備えた本発明のセンサ取付構造によれば、血糖値等の測定後は、離脱手段によりセンサユニットを計測表示器から取り外すことができる。このため、検査をする者がセンサユニットに触れることなくセンサユニットを取り外すことができ、肝炎等のウイルス性の疾病の感染を防止できる。
【発明を実施するための最良の形態】
【００１２】
本発明に係るセンサ取付構造、及び計測表示器の実施の形態について、図面に基づいて詳しく説明する。図１乃至図４において、符号１０は本発明のセンサ取付構造であり、符号１２は本発明の計測表示器である。計測表示器１２は、バイオセンサ１４を有するセンサユニット１６を計測可能な状態に取り付けて血糖値を算出表示する装置であり、本体先端部１８にセンサ取付構造１０を備えている。
【００１３】
センサ取付構造１０は、センサユニット１６を計測可能な状態で保持する中空部２０と、中空部２０内においてセンサユニット１６の挿入を検知する挿入検知手段２２とを備えている。挿入検知手段２２は、センサユニット１６の表面に設けられた凸部２４の２箇所の接触を検知する手段である。具体的には、挿入検知手段２２は、図５に示すように、第一電極２６と、センサユニット１６の凸部２４が接触して押圧することにより第一電極２６に接触する２個の第二電極２８とから構成されている。第一電極２６及び第二電極２８は、計測表示器１２が備える図示しない電源に接続されており、第一電極２６に第二電極２８が接触することにより、通電するように構成されている。第一電極２６に２個の第二電極２８が接触したか、又は、第一電極２６に１個の第二電極２８が接触したかは、図示しない判別手段によって区別できるように構成されている。なお、図５において、符号３０及び３２は、第一電極２６及び第二電極２８を支持する支持部材である。
【００１４】
また、センサ取付構造１０は、中空部２０に保持されたセンサユニット１６を中空部２０から離脱させる離脱手段２３を備えている。離脱手段２３は、図１乃至図４に示すように、センサユニット１６の挿入方向と逆方向にバネ５２の付勢力に抗してスライドするスライダー３０と、スライダー３０と共に一体的にスライドすることによりセンサユニット１６を押し出すスライド金具（押圧部材）２９とから構成されている。
【００１５】
このセンサ取付構造１０に取り付け可能なセンサユニット１６として、図６及び図７にセンサユニット１６（ａ）を、図８及び図９にセンサユニット１６（ｂ）を示す。センサユニット１６（ａ）は、図６及び図７に示すように、バイオセンサ１４(ａ)をセンサカバー８０（ａ）に挿入してセンサキャップ８２を取り付けることにより、バイオセンサ１４(ａ)を被覆するように構成されている。また、センサユニット１６（ａ）のセンサカバー８０（ａ）には、第二電極２８を押圧する凸部２４が設けられている。一方、センサユニット１６（ｂ）は、図８及び図９に示すように、バイオセンサ１４(ｂ)をセンサカバー８０（ｂ）に挿入してセンサキャップ８２を取り付けることにより、バイオセンサ１４(ｂ)を被覆するように構成され、センサユニット１６（ａ）と略同様の構成であるが、凸部２４の中心線３４より一方側に凹部３６が設けられており、２個の第二電極２８の一方を押圧しないように構成されている。
【００１６】
このようなセンサ取付構造１０及び計測表示器１２の作用について以下に説明する。センサユニット１６（ａ）を使用して血糖値の検査を行う者は、このセンサユニット１６（ａ）を保持し、図１、図２及び図１０に示すように、センサユニット１６（ａ）を計測表示器１２の中空部２０に挿入する。この時、図２に示すように、センサユニット１６(ａ)の凸部２４が２個の第二電極２８を押圧して、２個の第二電極２８が第一電極２６に接触する。２個の第二電極２８が第一電極２６に接触することにより、２個の第二電極２８に電気が流れる。２個の第二電極２８に電気が流れたことは、判別手段によって認識でき、これにより、センサユニット１６(ａ)が適正に取り付けられたことを認識できる。
【００１７】
一方、センサユニット１６（ｂ）を使用して血糖値の検査を行う者は、このセンサユニット１６(ｂ)を保持し、図３及び図４に示すように、センサユニット１６(ｂ)を計測表示器１２の中空部２０に挿入する。この時、一方の第二電極２８はセンサユニット１６(ｂ)の凸部２４によって押圧されるが、他方の第二電極２８は、図４に示すように、凹部３６内に入り込んで押圧されない。これにより、一方の第二電極２８は第一電極２６に接触して電気が流れるが、他方の第二電極２８は第一電極２６に接触しないため電気が流れない。第二電極２８のみに電気が流れたことは、判別手段によって認識でき、これにより、センサユニット１６(ｂ)が適正に取り付けられたことを認識できる。
【００１８】
このため、バイオセンサ１４(ａ)を有するセンサユニット１６(ａ)を計測表示器１２に取り付けた場合と、バイオセンサ１４（ｂ）を有するセンサユニット１６（ｂ）を計測表示器１２に取り付けた場合とを判別、認識することが可能となり、計測表示器１２に予め設定されたバイオセンサ１４（ａ）、バイオセンサ１４（ｂ）に対応する血糖値演算プログラムを選択することができる。
【００１９】
このようにして適正なセンサユニット１６を計測表示器１２に取り付けた状態で、検査を行う者は、図１１に示すように、指１００に針で穴を開けて検体である血液１０２を出す。一方で、センサユニット１６を取り付けた計測表示器１２を手で保持し、センサキャップ８２を取り外し、バイオセンサ１４の流入部１０４を血液１０２に接触させる。流入部１０４に接触した血液１０２は、毛細管現象によって検体保留部１０６に流入する。計測表示器１２は、端子１０８を介して血液１０２の血糖値を計測し、一定時間後に表示する。
【００２０】
このようにして血糖値の計測が終了すると、再びセンサキャップ８２をセンサカバー８０（ａ）に取り付け、スライダー３０を指で押圧して、スライダー３０をバネ５２の付勢力に抗してスライドさせる。スライダー３０をスライドさせることにより、スライド金具２９が一体的にスライドし、スライド金具２９がセンサユニット１６を押し出す。スライド金具２９がセンサユニット１６を押し出すことにより、センサユニット１６が中空部２０から離脱し、センサユニット１６は計測表示器１２から取り外される。
【００２１】
以上、本発明の実施形態について説明したが、本発明は上述したものには限定されない。例えば、２種類のセンサユニットを判別できるセンサ取付構造について説明したが、３種類以上のセンサユニットを判別できる構成であっても良い。この構成は、第二電極を３個以上とすることにより可能である。
【００２２】
また、本発明の計測表示器の形状は特に限定されず、本発明のセンサ取付構造を含むものであれば良い。また、本発明の用途は、血糖値の検査に限定されず、広く、医学的、生物学的、化学的な検査又は試験等であっても良い。また、血糖値以外の血液検査であっても良い。その他、本発明の技術的範囲には、その趣旨を逸脱しない範囲で当業者の知識に基づき種々なる改良、修正、変形を加えた態様も含まれる。また、同一の作用又は効果が生じる範囲内で、いずれかの発明特定事項を他の技術に置換した形態で実施しても良い。
【実施例１】
【００２３】
図１２に判別手段の一例として判別手段６０を示す。この判別手段６０は、２個の第二電極２８に夫々接続された２個の通電表示手段６２から構成されている。通電表示手段６２は、ＬＥＤ等の点灯手段である。電源６４の起電力により、２個の第二電極２８が第一電極２６に接触した場合には２個の通電表示手段６２が点灯し、１個の第二電極２８が第一電極２６に接触した場合には１個の通電表示手段６２が点灯することにより、第一電極２６に２個の第二電極２８が接触したか、又は、第一電極２６に１個の第二電極２８が接触したか判別できる。よって、センサユニット１６（ａ）又はセンサユニット１６（ｂ）のいずれを取り付けたかを、点灯する通電表示手段６２の個数により判別できる。また、両方の通電表示手段６２が点灯していない場合は、取り付けたセンサユニットがセンサユニット１６（ａ）でなく、センサユニット１６（ｂ）でもないと認識できる。
【００２４】
また、この場合、センサユニット１６（ａ）及びセンサユニット１６（ｂ）以外のセンサユニット１６（ｃ）の凸部２４に、図９の中心線に対して図９の凹部３６と反対側に凹部を設けておくことにより、センサユニット１６（ａ）、センサユニット１６（ｂ）、及びセンサユニット１６（ｃ）の三種類のセンサユニットを判別することもできる。すなわち、両方の通電表示手段６２が点灯した場合はセンサユニット１６（ａ）が取り付けられ、図１２において左側の通電表示手段のみが点灯した場合にはセンサユニット１６（ｂ）が取り付けられ、図１２において右側の通電表示手段のみが点灯した場合にはセンサユニット１６（ｃ）が取り付けられたことを認識できる。
【実施例２】
【００２５】
図１３に判別手段の他の一例として判別手段７０を示す。この判別手段７０は、２個の第二電極２８に接続された電流計から構成されている。この判別手段７０は、第二電極２８をリード線よりも抵抗の大きな部材によって構成することにより、２個の第二電極２８が第一電極２６に接触した場合と、１個の第二電極２８が第一電極２６に接触した場合とで、電流量が異なることにより、センサユニット１６（ａ）又はセンサユニット１６（ｂ）のいずれを取り付けたかを判別できる。
【産業上の利用可能性】
【００２６】
本発明のセンサ取付構造及び計測表示器によれば、適正なバイオセンサを測定可能に取り付けたか否かを確認できるとともに取り付けたバイオセンサの種類を確認できる。
【図面の簡単な説明】
【００２７】
【図１】本発明のセンサ取付構造にセンサユニットを取り付ける状態を示す正面断面図である。
【図２】図１のセンサ取付構造にセンサユニットを取り付けた状態を示す拡大正面断面図である。
【図３】図１のセンサ取付構造に他のセンサユニットを取り付ける状態を示す正面断面図である。
【図４】図１のセンサ取付構造に図３のセンサユニットを取り付けた状態を示す拡大正面断面図である。
【図５】図１のセンサ取付構造が備える挿入検知手段を示す図であり、（ａ）は正面図であり、（ｂ）は平面図である。
【図６】図１のセンサ取付構造に取り付けるセンサユニットを組み立てる状態を示す図であり、（ａ）は正面図であり、（ｂ）は平面図である。
【図７】図６のセンサユニットを示す図であり、（ａ）は背面図であり、（ｂ）は底面図であり、（ｃ）は平面図であり、（ｄ）は右側面図であり、（ｅ）は正面図であり、（ｆ）はＹ−Ｙ線切断部断面図である。
【図８】図１のセンサ取付構造に取り付ける他のセンサユニットを組み立てる状態を示す図であり、（ａ）は正面図であり、（ｂ）は平面図である。
【図９】図８のセンサユニットを示す図であり、（ａ）は背面図であり、（ｂ）は底面図であり、（ｃ）は平面図であり、（ｄ）は右側面図であり、（ｅ）は正面図であり、（ｆ）はＸ−Ｘ線切断部断面図である。
【図１０】図１のセンサ取付構造にセンサユニットを取り付ける状態を示す図であり、（ａ）は正面断面図であり、（ｂ）は平面図である。
【図１１】図１のセンサ取付構造を含む計測表示器の使用状態を示す図である。
【図１２】図１のセンサ取付構造が備える判別手段の一例を示す回路図である。
【図１３】図１のセンサ取付構造が備える判別手段の他の一例を示す回路図である。
【符号の説明】
【００２８】
１０  センサ取付構造
１２  計測表示器
１４（ａ）、１４（ｂ）  バイオセンサ
１６（ａ）、１６（ｂ）  センサユニット
１８  本体先端部
２０  中空部
２２  挿入検知手段
２３  離脱手段
２４  凸部
２６  第一電極
２８  第二電極
２９  スライド金具（押圧部材）
３０  スライダー
３６  凹部
６０、７０  判別手段
【図１】
2005134190.tif 000003
【図２】
2005134190.tif 000004
【図３】
2005134190.tif 000005
【図４】
2005134190.tif 000006
【図５】
2005134190.tif 000007
【図６】
2005134190.tif 000008
【図７】
2005134190.tif 000009
【図８】
2005134190.tif 000010
【図９】
2005134190.tif 000011
【図１０】
2005134190.tif 000012
【図１１】
2005134190.tif 000013
【図１２】
2005134190.tif 000014
【図１３】
2005134190.tif 000015